(57)【要約】      （修正有）【課題】作業の容易化を、複雑な装置や特別な用紙を用いることなく達成させることが可能である折り返しタブ作成装置を提供する。【解決手段】折り返しタブ作成装置１は、シート端部を挿入する挿入口１１と、折り返しタブの外縁を形成する切り込みをシート端部に開け、切り込みにより形成された折り返しタブを折り返してシート端部に設ける折り返しタブ作成手段４０とを備え、折り返しタブの外縁を形成する切り込みをシート端部に開けるパンチ刃と、切り込みにより形成された折り返しタブを折り返す折り返し手段とを有する。【選択図】図１
2019011147.tif 000002
【特許請求の範囲】
【請求項１】
シート端部を挿入する挿入口と、
折り返しタブの外縁を形成する切り込みを前記シート端部に開け、前記切り込みにより形成された折り返しタブを折り返して前記シート端部に設ける折り返しタブ作成手段と、
を備えることを特徴とする折り返しタブ作成装置。
【請求項２】
前記折り返しタブ作成手段は、
折り返しタブを形成する折り返し基準となる折り目をシート端部に形成する折り目形成手段と、
折り返しタブの外縁を形成する切り込みを前記シート端部に開けるパンチ刃と、
切り込みにより形成された折り返しタブを、前記折り目を基準として折り返す折り返し手段と、
を有することを特徴とする請求項１に記載の折り返しタブ作成装置。
【請求項３】
前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で圧着する圧着手段と、
を有することを特徴とする請求項１に記載の折り返しタブ作成装置。
【請求項４】
折り返しタブを前記シート端部に接着する接着剤を付着する付着手段を備え、
前記折り返しタブ作成手段は、
折り返しタブの外縁を形成する切り込みをシート端部に開けるパンチ刃と、
折り返しタブを折り返してシート端部に接着剤により固着する固着手段と、
を有することを特徴とする請求項１に記載の折り返しタブ作成装置。
【請求項５】
前記折り返しタブ作成手段は、
折り返しタブを挿通させるためのＩ字状の切り込み孔をシート端部に開ける切り込み手段と、
折り返しタブの外縁を形成する切り込みを前記シート端部に開けるパンチ刃と、
切り込みにより形成された折り返しタブを折り返して前記Ｉ字状の切り込み孔に差し込み折り返しタブを設ける差し込み手段と、
を有することを特徴とする請求項１に記載の折り返しタブ作成装置。
【請求項６】
前記折り返しタブ作成手段は、
折り返しタブの一部折り返しを挿通させて係止するための係止開口をシート端部に開ける係止開口形成手段と、
折り返しタブの外縁を形成する切り込み及び一部折り返しの外縁を前記シート端部に開けるパンチ刃と、
切り込みにより形成された折り返しタブを折り返し、前記一部折り返しを前記係止開口に係止させる折り返し手段と、
を有することを特徴とする請求項１に記載の折り返しタブ作成装置。
【請求項７】
前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で粘着テープにより貼り付けるテープ貼付手段と、
を有することを特徴とする請求項１に記載の折り返しタブ作成装置。
【請求項８】
前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で針ステープルにより止めるテープ止め手段と、
を有することを特徴とする請求項１に記載の折り返しタブ作成装置。
【請求項９】
前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で押圧して腰付けする腰付け手段と、
を有することを特徴とする請求項１に記載の折り返しタブ作成装置。
【請求項１０】
前記折り返しタブ作成手段は、
挿入されたシート端部に折り返しタブの外縁を形成する切り込み手段と、
形成された折り返しタブの外縁を折り返し位置に導くガイド手段と、
挿入されたシート端部を前記挿入部から引き出す際に、形成された折り返しタブを折り返して前記シート端部に設けるタブ折り返し手段と、
を備えることを特徴とする請求項１に記載の折り返しタブ作成装置。
【請求項１１】
前記切り込み手段は、
初期位置と折り返しタブの外縁形成位置を往復動するパンチで構成し、
前記ガイド手段は、
初期位置とガイド位置を往復動するガイドバーで構成し、
前記パンチが初期位置で前記ガイドバーが初期位置であり、
前記パンチが折り返しタブの外縁形成位置に移動すると、前記ガイドバーがガイド位置に連動して移動することを特徴とする請求項１０に記載の折り返しタブ作成装置。
【請求項１２】
前記タブ折り返し手段は、
シート端部を挿入部に挿入するローラ対で構成し、
挿入されたシート端部を前記挿入部から引き出す際に、前記ローラ対が形成された折り返しタブを折り返して押圧し、前記シート端部に折り返しタブを設けることを特徴とする請求項１０に記載の折り返しタブ作成装置。
【請求項１３】
折り返しタブを形成するシートのセット位置を決める位置決めバーを備えることを特徴とする請求項１乃至請求項１２のいずれか１項に記載の折り返しタブ作成装置。
【請求項１４】
シートを検出するシート検出手段と、
位置決めバーを移動するバー移動手段と、
シートの検出情報に基づき前記バー移動手段を制御して位置決めバーを移動し、前記折り返しタブを形成する位置を変化させる制御手段と、
を備えることを特徴とする請求項１３に記載の折り返しタブ作成装置。
【請求項１５】
前記折り返しタブ作成手段は、
モータを含む駆動源、または手動レバーを含む駆動源により駆動されることを特徴する請求項１乃至請求項１４のいずれか１項に記載の折り返しタブ作成装置。
【請求項１６】
画像が形成されたシートを積載するベーストレーと、
前記ベーストレー上に積載されたシート束を綴じる綴じ部と、を備えるシート後処理装置であり、
前記画像が形成されたシートを前記ベーストレーへ搬送する搬送路に前記請求項１乃至請求項１５のいずれか１項に記載の折り返しタブ作成装置を備えることを特徴とするシート後処理装置。
【請求項１７】
前記折り返しタブ作成装置を、タブ作成する作成位置とタブを作成しない待機位置とに移動させる移動手段を、備えることを特徴とする請求項１６に記載のシート後処理装置。
【請求項１８】
前記移動手段は、
折り返しタブを作成する位置情報に基づき前記折り返しタブ作成装置の作成位置を変化させることを特徴とする請求項１７に記載のシート後処理装置。
【請求項１９】
前記折り返しタブ作成装置は、
画像形成装置から搬送されるシート、または専用シート供給装置から搬送されるシートに折り返しタブを作成することを特徴とする請求項１６乃至請求項１８のいずれか１項に記載のシート後処理装置。
【請求項２０】
画像形成装置においてシートの折り返しタブを作成する位置にタブ印字し、
前記折り返しタブ作成装置は、前記画像形成装置からのタブ印字情報に基づき、タブ印字したシートに折り返しタブを作成することを特徴とする請求項１６乃至請求項１９のいずれか１項に記載のシート後処理装置。
【請求項２１】
折り返しタブに印字するタブ印字プリンタを備えることを特徴とする請求項１６乃至請求項１９のいずれか１項に記載のシート後処理装置。
【請求項２２】
折り返しタブに印字シートを貼り付ける印字シート貼付装置を備えることを特徴とする請求項１６乃至請求項１９のいずれか１項に記載のシート後処理装置。
【発明の詳細な説明】
【技術分野】
【０００１】
この発明は、シートに折り返しタブを形成する折り返しタブ作成装置及びこの折り返しタブ作成装置を備えたシート後処理装置に関する。
【背景技術】
【０００２】
従来、一般的に文書ファイルを手作業で整理する場合には、タブを設けることが広く実施されている。例えば、文書ファイルのシートは複写機やプリンタのような画像形成装置よって作成されるが、近来の画像形成装置にあっては複写機能、プリンタ機能、ファクシミリ機能などを複数の機能を備えた複合機が提供されており、複数利用者の画像出力手段としてこのような複合機が設置された場合、複合機の排紙トレイー上には複数の文書束が重ね置きされることが多い。このように１枚の排紙トレイー上に積載された複数の文書束をジョブ毎に判別仕分けするためには、従来、一部又は全部の文書内容を確認する作業がしばしば発生し、この非効率な作業を改善することが一つの課題となっている。
【０００３】
この一つの解決手段として、例えば特許文献１や特許文献２には、画像形成装置にタブ紙を給紙するとともに、文書シートの間に挿入するインサート機構を設けることが記載されている。また、特許文献３には、シート端部に切り込みを入れ、これを折り返してタブとすることが記載されている。
【特許文献１】特開２００２−１５２４４２号公報
【特許文献２】特開２００３−４０５１７号公報
【特許文献３】特開平９−１７５７２５号公報
【発明の開示】
【発明が解決しようとする課題】
【０００４】
しかしながら、特許文献１及び２の技術はタブ紙専用に比較的大掛かりで特別な装置を必要とし、また、特許文献３の技術では普通紙を利用してタブを形成するが、複雑な折り曲げ機構が必要であった。
【０００５】
この発明は、このような従来技術の実情に鑑みてなされたもので、作業の容易化を、複雑な装置や特別な用紙を用いることなく達成させることが可能な折り返しタブ作成装置及びシート後処理装置を提供することを目的とする。
【課題を解決するための手段】
【０００６】
前記課題を解決し、かつ目的を達成するために、この発明は、以下のように構成した。
【０００７】
請求項１に記載の発明は、シート端部を挿入する挿入口と、
折り返しタブの外縁を形成する切り込みを前記シート端部に開け、前記切り込みにより形成された折り返しタブを折り返して前記シート端部に設ける折り返しタブ作成手段と、
を備えることを特徴とする折り返しタブ作成装置である。
【０００８】
請求項２に記載の発明は、前記折り返しタブ作成手段は、
折り返しタブを形成する折り返し基準となる折り目をシート端部に形成する折り目形成手段と、
折り返しタブの外縁を形成する切り込みを前記シート端部に開けるパンチ刃と、
切り込みにより形成された折り返しタブを、前記折り目を基準として折り返す折り返し手段と、
を有することを特徴とする請求項１に記載の折り返しタブ作成装置である。
【０００９】
請求項３に記載の発明は、前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で圧着する圧着手段と、
を有することを特徴とする請求項１に記載の折り返しタブ作成装置である。
【００１０】
請求項４に記載の発明は、折り返しタブを前記シート端部に接着する接着剤を付着する付着手段を備え、
前記折り返しタブ作成手段は、
折り返しタブの外縁を形成する切り込みをシート端部に開けるパンチ刃と、
折り返しタブを折り返してシート端部に接着剤により固着する固着手段と、
を有することを特徴とする請求項１に記載の折り返しタブ作成装置である。
【００１１】
請求項５に記載の発明は、前記折り返しタブ作成手段は、
折り返しタブを挿通させるためのＩ字状の切り込み孔をシート端部に開ける切り込み手段と、
折り返しタブの外縁を形成する切り込みを前記シート端部に開けるパンチ刃と、
切り込みにより形成された折り返しタブを折り返して前記Ｉ字状の切り込み孔に差し込み折り返しタブを設ける差し込み手段と、
を有することを特徴とする請求項１に記載の折り返しタブ作成装置である。
【００１２】
請求項６に記載の発明は、前記折り返しタブ作成手段は、
折り返しタブの一部折り返しを挿通させて係止するための係止開口をシート端部に開ける係止開口形成手段と、
折り返しタブの外縁を形成する切り込み及び一部折り返しの外縁を前記シート端部に開けるパンチ刃と、
切り込みにより形成された折り返しタブを折り返し、前記一部折り返しを前記係止開口に係止させる折り返し手段と、
を有することを特徴とする請求項１に記載の折り返しタブ作成装置である。
【００１３】
請求項７に記載の発明は、前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で粘着テープにより貼り付けるテープ貼付手段と、
を有することを特徴とする請求項１に記載の折り返しタブ作成装置である。
【００１４】
請求項８に記載の発明は、前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で針ステープルにより止めるテープ止め手段と、
を有することを特徴とする請求項１に記載の折り返しタブ作成装置である。
【００１５】
請求項９に記載の発明は、前記折り返しタブ作成手段は、
折り返しタブの外縁を形成する切り込みを前記シート端部に開けるパンチ刃と、
切り込みにより形成された折り返しタブを折り返す折り返し手段と、
折り返しタブをシート端部と重ねられた状態で押圧して腰付けする腰付け手段と、
を有することを特徴とする請求項１に記載の折り返しタブ作成装置である。
【００１６】
請求項１０に記載の発明は、前記折り返しタブ作成手段は、
挿入されたシート端部に折り返しタブの外縁を形成する切り込み手段と、
形成された折り返しタブの外縁を折り返し位置に導くガイド手段と、
挿入されたシート端部を前記挿入部から引き出す際に、形成された折り返しタブを折り返して前記シート端部に設けるタブ折り返し手段と、
を備えることを特徴とする請求項１に記載の折り返しタブ作成装置である。
【００１７】
請求項１１に記載の発明は、前記切り込み手段は、初期位置と折り返しタブの外縁形成位置を往復動するパンチで構成し、
前記ガイド手段は、初期位置とガイド位置を往復動するガイドバーで構成し、
前記パンチが初期位置で前記ガイドバーが初期位置であり、
前記パンチが折り返しタブの外縁形成位置に移動すると、前記ガイドバーがガイド位置に連動して移動することを特徴とする請求項１０に記載の折り返しタブ作成装置である。
【００１８】
請求項１２に記載の発明は、前記タブ折り返し手段は、シート端部を挿入部に挿入するローラ対で構成し、
挿入されたシート端部を前記挿入部から引き出す際に、前記ローラ対が形成された折り返しタブを折り返して押圧し、前記シート端部に折り返しタブを設けることを特徴とする請求項１０に記載の折り返しタブ作成装置である。
【００１９】
請求項１３に記載の発明は、折り返しタブを形成するシートのセット位置を決める位置決めバーを備えることを特徴とする請求項１乃至請求項１２のいずれか１項に記載の折り返しタブ作成装置である。
【００２０】
請求項１４に記載の発明は、
シートを検出するシート検出手段と、
位置決めバーを移動するバー移動手段と、
シートの検出情報に基づき前記バー移動手段を制御して位置決めバーを移動し、前記折り返しタブを形成する位置を変化させる制御手段と、
を備えることを特徴とする請求項１３に記載の折り返しタブ作成装置である。
【００２１】
請求項１５に記載の発明は、前記折り返しタブ作成手段は、
モータを含む駆動源、または手動レバーを含む駆動源により駆動されることを特徴する請求項１乃至請求項１４のいずれか１項に記載の折り返しタブ作成装置である。
【００２２】
請求項１６に記載の発明は、画像が形成されたシートを積載するベーストレーと、
前記ベーストレー上に積載されたシート束を綴じる綴じ部と、を備えるシート後処理装置であり、
前記画像が形成されたシートを前記ベーストレーへ搬送する搬送路に前記請求項１乃至請求項１５のいずれか１項に記載の折り返しタブ作成装置を備えることを特徴とするシート後処理装置である。
【００２３】
請求項１７に記載の発明は、前記折り返しタブ作成装置を、タブ作成する作成位置とタブを作成しない待機位置とに移動させる移動手段を、備えることを特徴とする請求項１６に記載のシート後処理装置である。
【００２４】
請求項１８に記載の発明は、前記移動手段は、
折り返しタブを作成する位置情報に基づき前記折り返しタブ作成装置の作成位置を変化させることを特徴とする請求項１７に記載のシート後処理装置である。
【００２５】
請求項１９に記載の発明は、前記折り返しタブ作成装置は、
画像形成装置から搬送されるシート、または専用シート供給装置から搬送されるシートに折り返しタブを作成することを特徴とする請求項１６乃至請求項１８のいずれか１項に記載のシート後処理装置である。
【００２６】
請求項２０に記載の発明は、画像形成装置においてシートの折り返しタブを作成する位置にタブ印字し、
前記折り返しタブ作成装置は、前記画像形成装置からのタブ印字情報に基づき、タブ印字したシートに折り返しタブを作成することを特徴とする請求項１６乃至請求項１９のいずれか１項に記載のシート後処理装置である。
【００２７】
請求項２１に記載の発明は、折り返しタブに印字するタブ印字プリンタを備えることを特徴とする請求項１６乃至請求項１９のいずれか１項に記載のシート後処理装置である。
【００２８】
請求項２２に記載の発明は、折り返しタブに印字シートを貼り付ける印字シート貼付装置を備えることを特徴とする請求項１６乃至請求項１９のいずれか１項に記載のシート後処理装置である。
【発明の効果】
【００２９】
前記構成により、この発明は、以下のような効果を有する。
【００３０】
請求項１乃至請求項２２に記載の発明では、折り返しタブの外縁を形成する切り込みをシート端部に開け、切り込みにより形成された折り返しタブを折り返してシート端部に設けることで、作業の容易化を、複雑な装置や特別な用紙を用いることなく達成させることが可能である。
【図面の簡単な説明】
【００３１】
【図１】第１の実施の形態の折り返しタブ作成装置の概略図である。
【図２】折り返しタブ作成装置の内部構造を示す図である。
【図３】線状の折り返し基準となる折り目の実施例１を示す図である。
【図４】点状の折り返し基準となる折り目の実施例２を示す図である。
【図５】第２の実施の形態の折り返しタブ作成装置の概略構成図である。
【図６】折り返しタブの作成を説明する図である。
【図７】第３の実施の形態の折り返しタブ作成装置の概略図である。
【図８】折り返しタブ作成装置の内部構造を示す図である。
【図９】内部構造の機構を示す図である。
【図１０】内部構造の機構を示す図である。
【図１１】折り返しタブの成形動作を示す図である。
【図１２】折り返しタブの成形動作を示す図である。
【図１３】折り返しタブの成形動作を示す図である。
【図１４】第４の実施の形態の折り返しタブ作成装置の概略図である。
【図１５】折り返しタブ作成装置の内部構造を示す図である。
【図１６】内部構造の機構を示す図である。
【図１７】内部構造の機構を示す図である。
【図１８】折り返しタブの成形工程図である。
【図１９】第５の実施の形態の折り返しタブ作成装置の外形図である。
【図２０】折り返しタブ作成装置の構成図である。
【図２１】折り返しタブ作成装置の作動図である。
【図２２】第６の実施の形態の折り返しタブ作成装置の外形図である。
【図２３】接着カセット構成図である。
【図２４】折り返しタブ作成装置の作動図である。
【図２５】第７の実施の形態の折り返しタブ作成装置の外観を示す斜視図である。
【図２６】折り返しタブ作成装置の断面図である。
【図２７】折り返しタブ作成の動作を示す図である。
【図２８】折り返しタブ作成の動作を示す図である。
【図２９】折り返しタブ作成の動作を示す図である。
【図３０】折り返しタブ作成の動作を示す図である。
【図３１】折り返しタブ作成の動作を示す図である。
【図３２】折り返しタブ作成を示す斜視図である。
【図３３】粘着テープによる貼り付け状態を示す図である。
【図３４】針ステープルにより止める状態を示す図である。
【図３５】圧着する状態を示す図である。
【図３６】腰付ける状態を示す図である。
【図３７】折り返しタブ作成装置の斜視図である。
【図３８】折り返しタブ作成装置の内部構造を示す斜視図である。
【図３９】切り込み手段を構成する受けプレートとパンチを示す斜視図である。
【図４０】折り返しタブ作成装置の内部構造を示す図である。
【図４１】折り返しタブの成形動作を示す図である。
【図４２】折り返しタブ作成装置の他の実施の形態を示す図である。
【図４３】シート後処理装置の構成図である。
【図４４】シート後処理装置の動作を説明する図である。
【図４５】シート後処理装置の動作を説明する図である。
【図４６】シート後処理装置の動作を説明する図である。
【図４７】シート後処理装置の動作を説明する図である。
【図４８】シート後処理装置の動作を説明する図である。
【図４９】折り返しタブに印字する構成を示す図である。
【図５０】折り返しタブに印字する構成を示す図である。
【図５１】折り返しタブに印字する構成を示す図である。
【発明を実施するための形態】
【００３２】
以下、この発明の折り返しタブ作成装置及びシート後処理装置の実施の形態について説明する。この発明の実施の形態は、発明の最も好ましい形態を示すものであり、この発明はこれに限定されない。
【００３３】
（折り返しタブ作成装置）
［第１の実施の形態］
第１の実施の形態の折り返しタブ作成装置を、図１乃至図４に基づいて説明する。図１は折り返しタブ作成装置の概略図、図２は折り返しタブ作成装置の内部構造を示す図、図３は線状の折り返し基準となる折り目の実施例１を示す図、図４は点状の折り返し基準となる折り目の実施例２を示す図である。
【００３４】
図１（ａ）はカバーした状態の右側から見た斜視図、図１（ｂ）はカバーを外した状態の右側から見た斜視図、図１（ｃ）はカバーを外した状態の左側から見た斜視図である。この実施の形態の折り返しタブ作成装置１は、装置本体１０に、折り返しタブを形成するシートのセット位置を決める位置決めバー２０と、シート端部を挿入する挿入口３０と、折り返しタブの外縁を形成する切り込みをシート端部に開け、切り込みにより形成された折り返しタブを折り返してシート端部に固着する折り返しタブ作成手段４０とを備える。
【００３５】
装置本体１０は、ベースプレート１１と、本体カバー１２を有し、ベースプレート１１に折り返しタブ作成手段４０を設置し、本体カバー１２で覆う構成である。本体カバー１２には、位置決めバー２０がシートのサイズや折り返しタブを形成する位置に応じて移動可能に設けられ、挿入口３０に折り返しタブを形成するシートを挿入し、位置決めバー２０の位置決め部２０ａにシートの端部を当接することでセットされる。
【００３６】
図２（ａ）は内部構造の右側面図、図２（ｂ）は内部構造の左側面図、図２（ｃ）は内部構造の概略断面図である。図３（ａ）は実施例１を示す機構の斜視図、図３（ｂ）は機構の拡大図、図３（ｃ）は線状の折り返し基準となる折り目を示す図、図３（ｄ）は折り返しタブを示す図、図４（ａ）は実施例２を示す機構の斜視図、図４（ｂ）は機構の拡大図、図４（ｃ）は点状の折り返し基準となる折り目を示す図、図４（ｄ）は折り返しタブを示す図である。
【００３７】
折り返しタブ作成手段４０は、折り返しタブを形成する折り返し基準となる折り目Ｘをシート端部Ｐａに形成する折り目形成手段４６と、折り返しタブの外縁を形成する切り込みをシート端部Ｐａに開けるパンチ刃４１と、切り込みにより形成された折り返しタブを折り返す折り返し手段４２とを有する。折り返し手段４２は、折り目形成手段４６により形成された折り返しタブを折り目Ｘを基準として折り返す。
【００３８】
折り目形成手段４６は、折り目Ｘを形成する型４６ａ１を有するアーム４６ａと、受型４６ｅと、アーム４６ａを駆動する駆動手段４６ｂと、駆動手段４６ｂを制御する制御手段４６ｃと、シートが所定位置にセットされたことを検知する検知手段４６ｄを有する。受型４６ｅにシート端部Ｐａを位置させ、アーム４６ａの型４６ａ１を押圧することで、シート端部Ｐａに折り目Ｘを形成する構成である。
【００３９】
検知手段４６ｄは、シートが所定位置にセットされたことを検知すると検知情報を制御手段４６ｃに送り、制御手段４６ｃは、検知情報に基づいて駆動手段４６ｂを制御し、駆動手段４６ｂを介してアーム４６ａを駆動し、アーム４６ａの型４６ａ１が折り返しタブを形成する折り返し基準となる折り目Ｘをシート端部Ｐａに形成する。
【００４０】
折り目の実施例１は、図３に示すように、折り目を形成する型４６ａ１が線状に形成され、線状の折り返し基準となる折り目Ｘである。また、折り目の実施例２は、図４に示すように、折り目を形成する型４６ａ１が点状に形成され、点状の折り返し基準となる折り目Ｘである。
【００４１】
パンチ刃４１は、駆動軸２４１ａに支持され、台部２４４に対応して配置され、台部２４４とパンチ刃４１の間に挿入口３０が形成されている。駆動軸２４１ａの両端は、シートホルダー２４１ｂのガイド孔２４１ｂ１に挿通して移動可能に設けられ、駆動軸２４１ａの両側端部は、両側に配置された駆動リンク２４１ｃにそれぞれ連結されている。駆動リンク２４１ｃにはカム溝２４１ｃ１が形成され、カム溝２４１ｃ１にはカムピン２４１ｄが係合され、カムピン２４１ｄは駆動ギヤ２４１ｅに固定されている。駆動ギヤ２４１ｅは、駆動ギヤ２４１ｆを介して手動レバー４７を含む駆動源に連結されている。手動レバー４７を駆動すると、駆動力が駆動ギヤ２４１ｆを介して駆動ギヤ２４１ｅに伝達され、駆動ギヤ２４１ｅが回転する。駆動ギヤ２４１ｅの回転によりカムピン２４１ｄがカム溝２４１ｃ１を移動し、駆動リンク２４１ｃは支持軸２４１ｈを支点にして搖動する。駆動リンク２４１ｃの作動により駆動軸２４１ａがガイド孔２４１ｂ１にガイドされて移動し、パンチ刃４１を作動させて、折り返しタブの外縁を形成する切り込みをシート端部に開ける。
【００４２】
折り返し手段４２は、曲げレバー２４２ａと作動レバー２４２ｂを有する。曲げレバー２４２ａは、パンチ刃４１に設けた支持軸２４２ａ１に回動可能に設けられ、作動レバー２４２ｂは、駆動軸２４１ａに回動可能に設けられている。折り返し手段４２は、パンチ刃４１と連動して移動し、パンチ刃４１が切り込みをシート端部に開けるときに、作動レバー２４２ｂが受型４６ｅに当接して回転し、曲げレバー２４２ａが切り込みにより形成された折り返しタブを折り返す構成である。
【００４３】
この実施の形態では、折り返しタブの外縁を形成する切り込みをシート端部Ｐａに開け、切り込みにより形成された折り返しタブを折り返してシート端部Ｐａに設けることで、作業の容易化を、複雑な装置や特別な用紙を用いることなく達成させることが可能である。特に、折り返しタブを形成する折り返し基準となる折り目Ｘをシート端部Ｐａに形成し、折り返しタブを折り目Ｘを基準として折り返すことで、折り返しタブが位置ずれしたり、浮き上がることなどの不具合がなく、折り返しタブを正確に形成することができる。
【００４４】
また、この実施の形態では、折り返しタブ作成手段４０は、手動レバー４７を含む駆動源により駆動される構成であるが、モータを含む駆動源により駆動される構成としてもよい。
【００４５】
［第２の実施の形態］
第２の実施の形態の折り返しタブ作成装置を、図５及び図６に基づいて説明する。図５は折り返しタブ作成装置の概略構成図、図６は折り返しタブの作成を説明する図である。第２の実施の形態は、第１の実施の形態と同様に構成され、折り返しタブを形成する折り返し基準となる折り目Ｘをシート端部Ｐａに形成する折り目形成手段４６を備える。
【００４６】
そして、この実施の形態では、折り返しタブ作成手段４０は、係止開口形成手段４８ａと、パンチ刃４１と、折り返し手段４８ｂとを有する。係止開口形成手段４８ａは、刃４８ａＡを有し、刃４８ａＡにより折り返しタブの一部折り返しを挿通させて係止するための係止開口Ｙをシート端部Ｐａに開ける。パンチ刃４１は、刃４１Ａ及び刃４１Ｂを有し、刃４１Ａおよび刃４１Ｂにより折り返しタブの外縁を形成する切り込み及び一部折り返しの外縁をシート端部Ｐａに開ける。折り返し手段４８ｂは、アーム４８ｂＡ及びアーム４８ｂＢを有し、アーム４８ｂＡにより切り込みにより形成された折り返しタブを折り返し、アーム４８ｂＢにより一部折り返しを係止開口Ｙに係止させる。
【００４７】
この実施の形態では、アーム４６ａの型４６ａ１により折り返しタブを形成する折り返し基準となる折り目Ｘをシート端部Ｐａに形成し（図６（ａ））、刃４８ａＡにより折り返しタブの一部折り返しを挿通させて係止するための係止開口Ｙをシート端部Ｐａに開けるとともに、刃４１Ａおよび刃４１Ｂにより折り返しタブの外縁を形成する切り込み及び一部折り返しの外縁Ｚ１、Ｚ２をシート端部Ｐａに開ける（図６（ｂ））。次いで、アーム４８ｂＡにより切り込みにより形成された折り返しタブを折り返し（図６（ｃ））、その後アーム４８ｂＢにより一部折り返しＺ３を係止開口Ｙに係止させる（図６（ｄ））。
【００４８】
［第３の実施の形態］
第３の実施の形態の折り返しタブ作成装置を、図７乃至図１３に基づいて説明する。図７は折り返しタブ作成装置の概略図、図８は折り返しタブ作成装置の内部構造を示す図、図９及び図１０は内部構造の機構を示す図、図１１乃至図１３は折り返しタブの成形動作を示す図である。
【００４９】
図７（ａ）はカバーした状態の右側から見た斜視図、図７（ｂ）はカバーを外した状態の右側から見た斜視図、図７（ｃ）はカバーを外した状態の左側から見た斜視図である。この実施の形態の折り返しタブ作成装置１は、装置本体１０に、折り返しタブを形成するシートのセット位置を決める位置決めバー２０と、シート端部を挿入する挿入口３０と、折り返しタブの外縁を形成する切り込みをシート端部に開け、切り込みにより形成された折り返しタブを折り返してシート端部に固着する折り返しタブ作成手段４０とを備える。
【００５０】
装置本体１０は、ベースプレート１１と、本体カバー１２を有し、ベースプレート１１に折り返しタブ作成手段４０を設置し、本体カバー１２で覆う構成である。本体カバー１２には、位置決めバー２０がシートのサイズや折り返しタブを形成する位置に応じて移動可能に設けられ、挿入口３０に折り返しタブを形成するシートを挿入し、位置決めバー２０の位置決め部２０ａにシートの端部を当接することでセットされる。
【００５１】
図８（ａ）は内部構造の右側面図、図８（ｂ）は内部構造の左側面図、図８（ｃ）は内部構造の概略断面図である。図９（ａ）は機構の右側面図、図９（ｂ）は機構の斜視図、図９（ｃ）は機構の組み付けを右側から見た斜視図である。図１０（ａ）は機構の左側面図、図１０（ｂ）は機構の組み付けを左側から見た斜視図である。
【００５２】
折り返しタブ作成手段４０は、折り返しタブの外縁を形成する切り込みをシート端部に開けるパンチ刃４１と、切り込みにより形成された折り返しタブを折り返す折り返し手段４２と、折り返しタブをシート端部と重ねられた状態でエンボス加工により圧着する圧着手段４３とを有する。
【００５３】
パンチ刃４１は、駆動軸２４１ａに支持され、台部２４４に対応して配置され、台部２４４とパンチ刃４１の間に挿入口３０が形成されている。駆動軸２４１ａの両端は、シートホルダー２４１ｂのガイド孔２４１ｂ１に挿通して移動可能に設けられ、駆動軸２４１ａの両側端部は、両側に配置された駆動リンク２４１ｃにそれぞれ連結されている。駆動リンク２４１ｃにはカム溝２４１ｃ１が形成され、カム溝２４１ｃ１にはカムピン２４１ｄが係合され、カムピン２４１ｄは駆動ギヤ２４１ｅに固定されている。駆動ギヤ２４１ｅは、駆動ギヤ２４１ｆを介して第１駆動モータ２４３ｈ１に連結されている。第１駆動モータ２４３ｈ１を駆動すると、駆動力が駆動ギヤ２４１ｆを介して駆動ギヤ２４１ｅに伝達され、駆動ギヤ２４１ｅが回転する。駆動ギヤ２４１ｅの回転によりカムピン２４１ｄがカム溝２４１ｃ１を移動し、駆動リンク２４１ｃは支持軸２４１ｈを支点にして搖動する。駆動リンク２４１ｃの作動により駆動軸２４１ａがガイド孔２４１ｂ１にガイドされて移動し、パンチ刃４１を作動させて、折り返しタブの外縁を形成する切り込みをシート端部に開ける。
【００５４】
折り返し手段４２は、曲げレバー２４２ａと作動レバー２４２ｂを有する。曲げレバー２４２ａは、パンチ刃４１に設けた支持軸２４２ａ１に回動可能に設けられ、作動レバー２４２ｂは、駆動軸２４１ａに回動可能に設けられている。折り返し手段４２は、パンチ刃４１と連動して移動し、パンチ刃４１が切り込みをシート端部に開けるときに、作動レバー２４２ｂが圧着手段４３に当接して回転し、曲げレバー２４２ａが切り込みにより形成された折り返しタブを折り返す構成である。
【００５５】
圧着手段４３は、圧着上歯２４３ａと圧着下歯２４３ｂを有し、圧着上歯２４３ａ及び圧着下歯２４３ｂは、支持軸２５０に回動可能に設けられている。圧着上歯２４３ａは、圧着部２４３ａ１を有し、圧着下歯２４３ｂは、圧着部２４３ｂ１を有する。圧着上歯２４３ａは、ストッパー部２４３ａ２を有し、折り返し手段４２の作動レバー２４２ｂがストッパー部２４３ａ２に当接することで、作動レバー２４２ｂが回転して曲げレバー２４２ａ押されて回転し、曲げレバー２４２ａが切り込みにより形成された折り返しタブを折り返し、圧着部２４３ａ１と圧着部２４３ｂ１の間に折り返しタブをシート端部と重ねる構成である。
【００５６】
圧着上歯２４３ａは、スプリング２４３ｄにより常に上カム２４３ｅに当接するように付勢され、上カム２４３ｅは、支持軸２４１ｈに回動可能に設けられている。上カム２４３ｅには、駆動ギヤ２４３ｆが設けられ、駆動ギヤ２４３ｆは、駆動ギヤ２４１ｆを介して第１駆動モータ２４３ｈ１に連結されている。第１駆動モータ２４３ｈ１を駆動すると、駆動ギヤ２４１ｆを介して駆動ギヤ２４３ｆが回転し、上カム２４３ｅが連動して回転し、圧着上歯２４３ａを開閉作動する。
【００５７】
圧着下歯２４３ｂには、カム孔２４３ｂ２が形成され、このカム孔２４３ｂ２に駆動軸２５１が挿通されている。駆動軸２５１は、駆動リンク２４３ｉに設けられ、駆動リンク２４３ｉは、支持軸２４３ｉ１を支点にし、下カム２４３ｋとアーム２４３ｌにより搖動可能になっている。駆動リンク２４３ｉは、スプリング２４３ｊにより常に圧着下歯２４３ｂに当接するように付勢されている。アーム２４３ｌに設けた支持軸２４３ｌ１が駆動リンク２４３ｉを支持し、アーム２４３ｌは、スプリング２４３ｍにより常に初期位置に付勢され、下カム２４３ｋにより支持軸２５２を支点にして搖動可能になっており、下カム２４３ｋにより駆動され、圧着下歯２４３ｂを開閉作動する。
【００５８】
下カム２４３ｋは、駆動軸２４３ｎに固定され、駆動軸２４３ｌには、駆動ギヤ２４３ｏが設けられ、駆動ギヤ２４３ｏは、駆動ギヤ２４３ｐを介して第２駆動モータ２４３ｈ２に連結されている。第２駆動モータ２４３ｈ２を駆動すると、駆動ギヤ２４３ｐを介して駆動ギヤ２４３ｏ、駆動軸２４３ｎが回転し、下カム２４３ｋが連動して回転し、アーム２４３ｌが作動して駆動リンク２４３ｉにより圧着下歯２４３ｂを開閉作動する。
【００５９】
折り返しタブ作成手段４０は、パンチ刃４１を作動させるために、ロータリーエンコーダＸ１と、パンチ刃ホームセンサＸ２を備え、また圧着手段４３を作動させるために、ロータリーエンコーダＹ１と、圧着ホームセンサＹ２を備える。ロータリーエンコーダＸ１及びロータリーエンコーダＹ１は、第１駆動モータ２４３ｈ１及び第２駆動モータ２４３ｈ２の回転による機械的変位量を電気信号に変換し、この信号を処理して位置、速度などを検出して制御手段Ｚに送り、パンチ刃ホームセンサＸ２及び圧着ホームセンサＹ２は、ホーム位置を検出して制御手段Ｚに送る。制御手段Ｚは、検出情報に基づき第１駆動モータ２４３ｈ１を制御し、パンチ刃４１を作動させて折り返しタブの外縁を形成する切り込みをシート端部に開け、折り返し手段４２を回転させて切り込みにより形成された折り返しタブを折り返し、第２駆動モータ２４３ｈ２を制御し、圧着手段４３によりシート端部に固着し、作業の容易化を、複雑な装置や特別な用紙を用いることなく達成させることが可能である。
【００６０】
次に、折り返しタブの成形動作を、図１１乃至図１３に基づいて説明する。図１１は切り込みをシート端部に開けて折り返す動作を示し、図１２及び図１３は折り返しタブをシート端部に圧着する動作を示す。
【００６１】
折り返しタブを形成するシートＰを位置決めバー２０に当接し、シート端部を挿入口３０にセットする（図１１（ａ））。
【００６２】
第１駆動モータ２４３ｈ１を駆動すると、シートホルダー２４１ｂが下降してシートＰを押さえる。さらに、パンチ刃４１が下降してシートＰを打ち抜き、折り返しタブの外縁を形成する切り込みをシート端部に開ける（図１１（ｂ））。
【００６３】
折り返し手段４２がパンチ刃４１と連動して下降し、作動レバー２４２ｂが圧着上歯２４３ａに当接して回転し、曲げレバー２４２ａが切り込みにより形成された折り返しタブを折り返す（図１１（ｃ））。
【００６４】
第１駆動モータ２４３ｈ１を駆動して所定時間後に、第２駆動モータ２４３ｈ２を駆動し、圧着下歯２４３ｂがホーム位置から作動し（図１２（ａ））、第１駆動モータ２４３ｈ１は、パンチ刃４１が最下位置にきた時点で一時停止する。第２駆動モータ２４３ｈ２により下カム２４３ｋを所定時間回転し、一時停止する。第２駆動モータ２４３ｈ２の駆動により下カム２４３ｋが反時計方向に回転し、下カム２４３ｋによりアーム２４３ｌが矢印方向に倒れ（図１２（ｂ））、駆動リンク２４３ｉがスプリング２４３ｊにより引っ張られて上方に持ち上がり、駆動リンク２４３ｉに連結されている圧着下歯２４３ｂが開いた状態になり、曲げレバー２４２ａが切り込みにより形成された折り返しタブを折り返し動作が行われる（図１２（ｃ））。
【００６５】
所定時間後に、第２駆動モータ２４３ｈ２を駆動して所定時間後に停止する。第２駆動モータ２４３ｈ２の駆動により下カム２４３ｋが反時計方向に回転し（図１３（ａ））、アーム２４３ｌがスプリング２４３ｍにより矢印方向に戻る（図１３（ｂ））。
【００６６】
所定の時間後に第２駆動モータ２４３ｈ２を駆動し、下カム２４３ｋを時計方向に回転させて圧着下歯２４３ｂをホーム位置に戻し（図１３（ｃ））、所定時間後に第２駆動モータ２４３ｈ２を一時停止し、下カム２４３ｋを時計方向に回転させることで、圧着下歯２４３ｂを圧着状態にする（図１３（ｄ））。所定時間後に、第２駆動モータ２４３ｈ２を駆動して一時停止し、圧着後は下カム２４３ｋを反時計方向に回転してホーム位置に戻す（図１３（ｅ））。第１駆動モータ２４３ｈ１を駆動してパンチ刃４１をホーム位置に戻して次の折り返しタブ作成に備える。
【００６７】
［第４の実施の形態］
第４の実施の形態の折り返しタブ作成装置を、図１４乃至図１８に基づいて説明する。図１４は折り返しタブ作成装置の概略図、図１５は折り返しタブ作成装置の内部構造を示す図、図１６及び図１７は内部構造の機構を示す図、図１８は折り返しタブの成形工程図である。
【００６８】
図１４（ａ）はカバーした状態の右側から見た斜視図、図１４（ｂ）はカバーを外した状態の右側から見た斜視図、図１４（ｃ）はカバーを外した状態の左側から見た斜視図である。この実施の形態の折り返しタブ作成装置１は、装置本体１０に、折り返しタブを形成するシートのセット位置を決める位置決めバー２０と、シート端部を挿入する挿入口３０と、折り返しタブの外縁を形成する切り込みをシート端部に開け、切り込みにより形成された折り返しタブを折り返してシート端部に固着する折り返しタブ作成手段４０とを備える。
【００６９】
装置本体１０は、ベースプレート１１と、本体カバー１２を有し、ベースプレート１１に折り返しタブ作成手段４０を設置し、本体カバー１２で覆う構成である。本体カバー１２には、位置決めバー２０がシートのサイズや折り返しタブを形成する位置に応じて移動可能に設けられ、挿入口３０に折り返しタブを形成するシートを挿入し、位置決めバー２０の位置決め部２０ａにシートの端部を当接することでセットされる。
【００７０】
図１５（ａ）は内部構造の右側面図、図１５（ｂ）は内部構造の左側面図、図１５（ｃ）は内部構造の概略断面図である。図１６（ａ）は機構の右側面図、図１６（ｂ）は機構の斜視図、図１６（ｃ）は機構の組み付けを右側から見た斜視図である。図１７（ａ）は機構の左側面図、図１７（ｂ）は機構の組み付けを左側から見た斜視図である。
【００７１】
折り返しタブ作成手段４０は、折り返しタブの外縁を形成する切り込みをシート端部に開けるパンチ刃４１と、切り込みにより形成された折り返しタブを折り返す折り返し手段４２と、折り返しタブをシート端部と重ねられた状態で圧着する圧着手段４３とを有する。パンチ刃４１は、駆動軸４１ａに支持され、台部４４に対応して配置され、台部４４とパンチ刃４１の間に挿入口３０が形成されている。駆動軸４１ａの両端は、シートホルダー４１ｂのガイド孔４１ｂ１に挿通して移動可能に設けられ、駆動軸４１ａの両側端部は、両側に配置された駆動リンク４１ｃにそれぞれ連結されている。駆動リンク４１ｃにはカム溝４１ｃ１が形成され、カム溝４１ｃ１にはカムピン４１ｄが係合され、カムピン４１ｄは駆動ギヤ４１ｅに固定されている。駆動ギヤ４１ｅは、駆動ギヤ４１ｆを介して駆動モータ４３ｈに連結されている。駆動モータ４３ｈを駆動すると、駆動力が駆動ギヤ４１ｆを介して駆動ギヤ４１ｅに伝達され、駆動ギヤ４１ｅが回転する。駆動ギヤ４１ｅの回転によりカムピン４１ｄがカム溝４１ｃ１を移動し、駆動リンク４１ｃは支持軸４１ｈを支点にして搖動する。駆動リンク４１ｃの作動により駆動軸４１ａがガイド孔４１ｂ１にガイドされて移動し、パンチ刃４１を作動させて、折り返しタブの外縁を形成する切り込みをシート端部に開ける。折り返し手段４２は、曲げ部４２ａと作動レバー部４２ｂを有し、駆動軸４１ａに回動可能に設けられている。シートホルダー４１ｂと折り返し手段４２との間にスプリング４２ｃが設けられ、スプリング４２ｃにより折り返し手段４２は、常に初期位置に付勢されている。折り返し手段４２は、パンチ刃４１と連動して移動し、パンチ刃４１が切り込みをシート端部に開けるときに、作動レバー部４２ｂが圧着手段４３に当接して回転し、曲げ部４２ａが切り込みにより形成された折り返しタブを折り返す構成である。
【００７２】
圧着手段４３は、圧着上歯４３ａと圧着下歯４３ｂを有し、圧着上歯４３ａは、支持軸５０に回動可能に設けられ、圧着下歯４３ｂは、支持軸５１に回動可能に設けられている。圧着上歯４３ａは、圧着部４３ａ１を有し、圧着下歯４３ｂは、圧着部４３ｂ１を有する。圧着上歯４３ａは、ストッパー部４３ａ２を有し、折り返し手段４２の作動レバー部４２ｂがストッパー部４３ａ２に当接することで、折り返し手段４２が回転し、曲げ部４２ａが切り込みにより形成された折り返しタブを折り返し、圧着部４３ａ１と圧着部４３ｂ１の間に折り返しタブをシート端部と重ねる構成である。
【００７３】
圧着上歯４３ａは、スプリング４３ｄにより常に上カム４３ｅに当接するように付勢され、上カム４３ｅは、支持軸４１ｈに回動可能に設けられている。上カム４３ｅのカム軸４３ｅ１には、駆動ギヤ４３ｆが設けられ、駆動ギヤ４３ｆは、駆動ギヤ４３ｇを介して駆動モータ４３ｈに連結されている。駆動モータ４３ｈを駆動すると、駆動ギヤ４３ｇを介して駆動ギヤ４３ｆが回転し、上カム４３ｅが連動して回転し、圧着上歯４３ａを開閉作動する。
【００７４】
圧着下歯４３ｂは、駆動リンク４３ｉに形成されたカム孔４３ｉ１に挿通され、駆動リンク４３ｉは、支持軸５２に支持されている。駆動リンク４３ｉは、スプリング４３ｊにより常に圧着下歯４３ｂに当接するように付勢され、下カム４３ｋにより駆動され、圧着下歯４３ｂを開閉作動する。下カム４３ｋは、駆動軸４３ｌに固定され、駆動軸４３ｌは、駆動ギヤ４３ｍ、駆動ギヤ４３ｎを介して駆動モータ４３ｈに連結されている。駆動モータ４３ｈを駆動すると、駆動ギヤ４３ｎを介して駆動ギヤ４３ｍ、駆動軸４３ｌが回転し、下カム４３ｋが連動して回転し、駆動リンク４３ｉにより圧着下歯４３ｂを開閉作動する。
【００７５】
折り返しタブ作成手段４０は、ロータリーエンコーダ４３ｐと、パンチ刃ホームセンサ４３ｒを備え、ロータリーエンコーダ４３ｐは、駆動軸４３ｌの回転の機械的変位量を電気信号に変換し、この信号を処理して位置、速度などを検出して制御手段４３ｑに送り、パンチ刃ホームセンサ４３ｒは、パンチ刃４１のホーム位置を検出して制御手段４３ｑに送る。制御手段４３ｑは、パンチ刃ホームセンサ４３ｒからの検出情報と、ロータリーエンコーダ４３ｐからの検出情報に基づき駆動モータ４３ｈを制御し、パンチ刃４１を作動させて折り返しタブの外縁を形成する切り込みをシート端部に開け、折り返し手段４２を回転させて切り込みにより形成された折り返しタブを折り返し、圧着手段４３の圧着上歯４３ａと圧着下歯４３ｂによりシート端部に固着し、作業の容易化を、複雑な装置や特別な用紙を用いることなく達成させることが可能である。
【００７６】
次に、折り返しタブの成形工程を、図１８に基づいて説明する。折り返しタブを形成するシートＰを位置決めバー２０に当接し、シート端部を挿入口３０にセットする（図１８（ａ））。
【００７７】
駆動モータ４３ｈの駆動により、シートホルダー４１ｂが下降してシートＰを押さえる。さらに、パンチ刃４１が下降してシートＰを打ち抜き、折り返しタブの外縁を形成する切り込みをシート端部に開ける（図１８（ｂ））。
【００７８】
折り返し手段４２がパンチ刃４１と連動して下降し、作動レバー部４２ｂが圧着上歯４３ａに当接して回転し、曲げ部４２ａが切り込みにより形成された折り返しタブを折り返す。上カム４３ｅが回転し、圧着上歯４３ａが圧着位置に下がる（図１８（ｃ））。
【００７９】
下カム４３ｋの回転により駆動リンク４３ｉが作動して圧着下歯４３ｂが上方に回転して移動し、圧着部４３ａ１と圧着部４３ｂ１の間に折り返しタブをシート端部と重ねた状態で押圧し、折り返しタブをシート端部に圧着する（図１８（ｄ））。
【００８０】
［第５の実施の形態］
第５の実施の形態の折り返しタブ作成装置を、図１９乃至図２１に基づいて説明する。図１９は折り返しタブ作成装置の外形図、図２０は折り返しタブ作成装置の構成図、図２１は折り返しタブ作成装置の作動図である。
【００８１】
この実施の形態の折り返しタブ作成装置１は、図１９に示すように、装置台部１１０と作成部１２０を有する。シートＰを装置台部１１０に載置し、このシート端部Ｐａを作成部１２０に対応させ、作成部１２０を手動または電動で押すことで、折り返しタブの外縁を形成する切り込みをシート端部Ｐａに開け、切り込みにより形成された折り返しタブを折り返して接着剤によりシート端部Ｐａに接着して折り返しタブＴＢが作成される。
【００８２】
図２０は折り返しタブ作成装置を電動で駆動するように構成した実施の形態であり、折り返しタブ作成装置１は、シート端部Ｐａを挿入する挿入口１１１、折り返しタブをシート端部Ｐａに接着する接着剤を付着する付着手段１２１、折り返しタブの外縁を形成する切り込みをシート端部Ｐａに開け、切り込みにより形成された折り返しタブＴＢを折り返して接着剤によりシート端部Ｐａに接着する折り返しタブ作成手段１２２と、を備える。
【００８３】
付着手段１２１は、回転バー１２１ａと、回転バー１２１ａの先端部に設けた接着剤１２１ｂと、回転バー１２１ａを回動させる駆動モータＭ１を有し、駆動モータＭ１の駆動で回転バー１２１ａを回動させ、回転バー１２１ａに備えた接着剤１２１ｂをシート端部Ｐａに付着させる。接着剤１２１ｂは、多孔質材に含浸させた構成であり、この多孔質材として例えばスポンジを用いることができる。接着剤１２１ｂが消耗すると、補充または交換可能である。
【００８４】
折り返しタブ作成手段１２２は、折り返しタブの外縁を形成する切り込みをシート端部Ｐａに開けるパンチ刃１２２ａと、切り込みにより形成された折り返しタブを折り返してシート端部Ｐａに接着する折り返し手段１２２ｂと、を有する。パンチ刃１２２ａは、駆動モータＭ１により往復動して切り込みをシート端部Ｐａに開ける。折り返し手段１２２ｂは、折り返しバー１２２ｂ１と、折り返しバー１２２ｂ１を回動させるソレノイド１２２ｃを有し、ソレノイド１２２ｃにより折り返しバー１２２ｂ１を回動させて折り返しタブＰＢを折り返してシート端部Ｐａに接着させる。
【００８５】
次に、折り返した部作製装置１の作動を図２１に基づいて説明する。シートＰのシート端部Ｐａを挿入口１１１に挿入し、パンチ刃１２２ａを駆動して折り返しタブの外縁を形成する切り込みをシート端部Ｐａに開ける（図２１（ａ））。折り返しバー１２２ｂ１によりシートＰのシート端部Ｐａを押さえ、この状態で回転バー１２１ａを回動させて接着剤１２１ｂをシート端部Ｐａに付着させる（図２１（ｂ））。次に、回転バー１２１ａを元の位置に戻し、折り返しバー１２２ｂ１を回動させて折り返しタブＴＢを折り返してシート端部Ｐａに接着剤１２１ｂにより接着させる（図２１（ｃ））。
【００８６】
［第６の実施の形態］
第６の実施の形態の折り返しタブ作成装置を、図２２乃至図２４に基づいて説明する。図２２は折り返しタブ作成装置の外形図、図２３は接着カセット構成図、図２４は折り返しタブ作成装置の作動図である。
【００８７】
この実施の形態の折り返しタブ作成装置１は、図２２に示すように、シート端部Ｐａを挿入する挿入口１１１、折り返しタブをシート端部に接着する接着剤を付着する付着手段１２１、折り返しタブの外縁を形成する切り込みをシート端部に開け、切り込みにより形成された折り返しタブを折り返して接着剤によりシート端部に接着する折り返しタブ作成手段１２２と、を備える。挿入口１１１及び折り返しタブ作成手段１２２は、第３の実施の形態と同様に構成されるから同じ符号を付して説明を省略する。
【００８８】
付着手段１２１は、図２３に示すように、接着カセットＡで構成し、接着カセットＡは装置本体に着脱可能になっている。接着カットＡには、送出軸１２５と巻取軸１２６が設けられ、装置本体に設けられた駆動モータＭ３により巻取軸１２６を駆動し、送出軸１２５に巻かれた接着テープ１２７を巻取軸１２６に巻き取る。この接着テープ１２７には、接着剤１２７ａが付着されている。また、接着カセットＡは、接着テープ１２７をシート端部に押圧する押圧部材１２８を有する。接着カセットＡは、駆動モータＭ４の駆動で接着位置を待機位置の間を姿勢変化可能に構成され、接着位置で押圧部材１２８を接着テープ１２７とシート端部に押圧することで、接着テープ１２７の接着剤１２７ａをシート端部に付着させる。
【００８９】
次に、折り返しタブ作成装置１の作動を、図２４に基づいて説明する。シートＰのシート端部Ｐａを挿入口１１１に挿入し、パンチ刃１２２ａを駆動して折り返しタブの外縁を形成する切り込みをシート端部Ｐａに開ける（図２４（ａ））。折り返しバー１２２ｂ１によりシートＰのシート端部Ｐａを押さえ、この状態で駆動モータＭ４の駆動で接着カセットＡが接着位置になるように姿勢変化させ、押圧部材１２８により接着剤１２７ａをシート端部Ｐａに付着させる（図２４（ｂ））。次に、駆動モータＭ４の駆動で接着カセットＡを待機位置に戻し、折り返しバー１２２ｂ１を回動させて折り返しタブＴＢを折り返してシート端部Ｐａに接着剤１２７ａにより接着させる。そして、駆動モータＭ３により巻取軸１２６を駆動し、送出軸１２５に巻かれた接着テープ１２７を巻取軸１２６に巻き取る（図２４（ｃ））。  
【００９０】
［第７の実施の形態］
第７の実施の形態の折り返しタブ作成装置を、図２５乃至図３２に基づいて説明する。図２５は折り返しタブ作成装置の外観を示す斜視図、図２６は折り返しタブ作成装置の断面図、図２７乃至図３１は折り返しタブ作成の動作を示す図、図３２は折り返しタブ作成を示す斜視図である。
【００９１】
この実施の形態の折り返しタブ作成装置１は、装置本体１０に、シート端部を挿入する挿入口３０と、折り返しタブの外縁を形成する切り込みをシート端部に開け、切り込みにより形成された折り返しタブを折り返してシート端部に固着する折り返しタブ作成手段４０と、紙粉カス収納部４４０とを備える。
【００９２】
この折り返しタブ作成手段４０は、折り返しタブを挿通させるためのＩ字状の切り込み孔をシート端部Ｐａに開ける切り込み手段と、折り返しタブの外縁を形成する切り込みをシート端部Ｐａに開けるパンチ刃と、切り込みにより形成された折り返しタブを折り返してＩ字状の切り込み孔に差し込み折り返しタブを設ける差し込み手段とを有する。この実施の形態では、上型４１１と、下型４１２と、押え板４１４を備え、上型４１１が下型４１２に対して支持軸４１３によって回動自在に支持されている。押え板４１４は、上型４１１と下型４１２との間に配置され、支持軸４１３によって回動自在に支持される。上型４１１と押え板４１４との間には、圧縮コイルばね４１５が配置され、押え板４１４と上型４１１との間には板ばね４１６が配置される。
【００９３】
装置本体１０には、上型４１１を回動させる駆動装置４３０が備えられ、この駆動装置４３０は、例えば電磁ソレノイドで構成され、電源オンによりプランジャー４３１が上型４１１を押して圧縮コイルばね４１５に抗して回動させ、電源オフにより上型４１１が圧縮コイルばね４１５により元の位置に復帰する。    
【００９４】
上型４１１には、切刃４１７、ナイフ４１８、カム４１９が取り付けられる。切刃４１７とナイフ４１８との中間にカム４１９が配置される。カム４１９は上型４１１に固定された切刃４１７に回動自在に支持される。板ばね４２０はカム４１９の背面と係合する。切刃４１７の刃面はＵ字型に、またナイフ４１８の断面は１字型にそれぞれ形成され、これらは組み合わされ、図３１に示すような折り返しタブ４９１とＩ字状の切り込み孔４９２を形成する。ナイフ４１８の中央部にはほぼ長方形の窓４１８ａが明けられている。切刃４１７及びナイフ４１８に対向して、押え板４１４に略長方形の孔４１４ａ，４１４ｂ及び下型４１２に略長方形の孔４１２ａがそれぞれ明けられている。
【００９５】
次に、図２７乃至図３２を参照して、折り返しタブ作成手段４０の動作について説明する。まず、シートＰを下型４１２と押え板４１４との間に置く（図２７）。次に、駆動装置４３０の電源オンし、プランジャー４３１により上型４１１を所定位置まで押し下げると、切刃４１７及びナイフ４１８は、押え板４１４の孔４１４ａ，４１４ｂをそれぞれ貫通し、そしてシートＰを突き抜けて、下型４１２に設けられた孔４１２ａに入り込む。このとき、切刃４１７によってシートＰにＵ字状の折り返しタブ４９１が形成されとともに、切刃４１８によってシートＰにＩ字状の切り込み孔４９２が形成され、この切られたＵ字状の折り返しタブ４９１にカム４１９の爪４１９ａが係合してＵ字状の折り返しタブ４９１を押し上げる（図２８）。
【００９６】
そして、さらに上型４１１を押し下げると、押え板４１４の孔４１４ａ，４１４ｂの間にある中間部分４１４ｃを支点としてカム４１９は、反時計方向に回転する。このとき、カム４１９の爪４１９ａはＵ字状の折り返しタブ４９１を押し曲げて、その先端をナイフ４１８の窓４１８ａに入れる（図２９）。
【００９７】
駆動装置４３０の電源オフにより、上型４１１は圧縮ばね４１５の作用によって元の位置へ復帰する。これにより、カム４１９は板ばね４２０の作用によって時計方向に回転されて元の位置に戻される（図３０）。このとき、切刃４１７及びナイフ４１８もともに上昇しつつあり、切刃４１７はそのままシートＰから抜け出るが、ナイフ４１８はシートＰのＵ字状の折り返しタブ４９１の先端を窓４１８ａに引っ掛けてナイフ４１８が明けたＩ字状の切り込み孔４９２にＵ字状の折り返しタブ４９１の先端を差し込んでからシートＰより抜け出る（図３１）。
【００９８】
これによって、折り返しタブ作成手段４０の動作は完了し、図３２に示すように、Ｉ字状の切り込み孔４９２にＵ字状の折り返しタブ４９１の先端を差し込んで、シートＰに折り返しタブが作成される。
【００９９】
紙粉カス収納部４４０は、装置本体１０の下方位置に配置され、切込みによってＵ字状の折り返しタブ４９１とＩ字状の切り込み孔４９２を形成する際に生じる紙粉カスを収納する。この紙粉カス収納部４４０は、紙粉カスを導くダウストシュート４４１と、紙粉カスを貯める収納箱４４２と、紙粉カスを収納箱４４２に集める集塵手段を構成するファン４４３とを有する。この実施の形態では、集塵手段はファン４４３で構成しているが、減圧装置を用いてもよい。
【０１００】
ダウストシュート４４１は、収納箱４４２に連通しており、このダウストシュート４４１にファン４４３が配置され、ダウストシュート４４１の上方位置には排気口４４１ａが形成されている。排気口４４１ａには、紙粉カスの漏れを防止するフィルタ４４１ｂが配置される。ファン４４３を駆動することで、紙粉カスを、ダウストシュート４４１を介して導き、確実に紙粉カスを収納箱４４２に溜めることができる。収納箱４４２は、着脱可能であり、所定時期に取り外して交換したり、紙粉カスを排出する。            
【０１０１】
この紙粉カス収納部４４０は、第７の実施の形態に限定されず、第１の実施の形態乃至第６の実施の形態にも同様に備えることができる。
【０１０２】
［第８の実施の形態］
第８の実施の形態の折り返しタブ作成装置を、図３３に基づいて説明する。図３３は粘着テープによる貼り付け状態を示す図である。この実施の形態の折り返しタブ作成装置１では、折り返しタブ作成手段４０は、折り返しタブの外縁を形成する切り込みをシート端部に開けるパンチ刃４１と、切り込みにより形成された折り返しタブを折り返す折り返し手段４２と、折り返しタブＴＢをシート端部と重ねられた状態で粘着テープ９００ａにより貼り付けるテープ貼付手段９００とを有する。この実施の形態のテープ貼付手段９００は、シート端部の裏側に折り返しタブＴＢを重ねられた状態で粘着テープ９００ａにより貼り付けている。
【０１０３】
［第９の実施の形態］
第９の実施の形態の折り返しタブ作成装置を、図３４に基づいて説明する。
図３４は針ステープルにより止める状態を示す図である。この実施の形態の折り返しタブ作成装置１では、折り返しタブ作成手段４０は、折り返しタブの外縁を形成する切り込みをシート端部に開けるパンチ刃４１と、切り込みにより形成された折り返しタブを折り返す折り返し手段４２と、折り返しタブをシート端部と重ねられた状態で針ステープルにより止める止め手段９１０とを有する。この実施の形態の止め手段９１０は、シート端部の裏側に折り返しタブＴＢを重ねられた状態で針ステープル９１０ａにより止める。
【０１０４】
［第１０の実施の形態］
第１０の実施の形態の折り返しタブ作成装置を、図３５に基づいて説明する。
図３５は圧着する状態を示す図である。この実施の形態の折り返しタブ作成装置１では、折り返しタブ作成手段４０は、折り返しタブの外縁を形成する切り込みをシート端部に開けるパンチ刃４１と、切り込みにより形成された折り返しタブを折り返す折り返し手段４２と、折り返しタブをシート端部と重ねられた状態で圧着する圧着手段９２０とを有する。この実施の形態の圧着手段９２０は、シート端部の裏側に折り返しタブＴＢを重ねられた状態で折り返しタブＴＢの両側を圧着する。
【０１０５】
［第１１の実施の形態］
第１１の実施の形態の折り返しタブ作成装置を、図３６に基づいて説明する。
図３６は腰付ける状態を示す図である。この実施の形態の折り返しタブ作成装置１では、折り返しタブ作成手段４０は、折り返しタブの外縁を形成する切り込みをシート端部に開けるパンチ刃４１と、切り込みにより形成された折り返しタブを折り返す折り返し手段４２と、折り返しタブをシート端部と重ねられた状態で押圧して腰付けする腰付け手段９３０とを有する。この実施の形態の腰付け手段９３０は、シート端部の裏側に折り返しタブＴＢを重ねられた状態で折り返しタブＴＢの両側を腰付けする。腰付けは、シート端部の裏側に折り返しタブＴＢを重ねられた状態で押圧することによりシート端部に腰を付けるものである。
【０１０６】
［第１２の実施の形態］
第１２の実施の形態の折り返しタブ作成装置を、図３７乃至図４１に基づいて説明する。図３７は折り返しタブ作成装置の斜視図、図３８は折り返しタブ作成装置の内部構造を示す斜視図、図３９は切り込み手段を構成する受けプレートとパンチを示す斜視図、図４０は折り返しタブ作成装置の内部構造を示す図、図４１は折り返しタブの成形動作を示す図である。
【０１０７】
この実施の形態の折り返しタブ作成装置１は、装置本体６１０に、折り返しタブを形成するシートのセット位置を決める位置決めバー６２０と、シート端部を挿入する挿入部６３０と、挿入されたシート端部に折り返しタブの外縁を形成する切り込み手段６４０と、形成された折り返しタブの外縁を折り返し位置に導くガイド手段６５０と、挿入されたシート端部を挿入部６３０から引き出す際に、形成された折り返しタブを折り返してシート端部に設けるタブ折り返し手段６６０と、を備える。
【０１０８】
装置本体６１０は、下カバー６１１と、上カバー６１２と、形成部カバー６１３を有し、下カバー６１１と上カバー６１２が駆動機構７０を覆い、上カバー６１２と形成部カバー６１３の間に挿入部３０が形成される。
【０１０９】
切り込み手段６４０は、図３９に示すように、受けプレート６４１とパンチ６４２から構成される。受けプレート６４１は、中央部に方形のパンチ受孔６４１ａが形成されている。パンチ６４２は、ベース６４３に固定され、初期位置と折り返しタブの外縁形成位置を往復動する構成である。パンチ６４２は、テーパ状に形成され、対抗するテーパ辺６４２ａ，６４２ｂと、テーパ辺６４２ａ，６４２ｂを連結する高い辺６４２ｃがパンチ受孔６４１ａに接し、挿入されたシート端部に折り返しタブの外縁７００を形成し、テーパ辺６４２ａ，６４２ｂを連結する低い辺６４２ｄはパンチ受孔６４１ａに接することなく隙間を有することで、切断されることなく折り目７０１を形成する。
【０１１０】
ガイド手段６５０は、ガイドバー初期位置とガイド位置を往復動するガイドバー６５１で構成される。ガイドバー６５１は、支持軸６５２に回動可能に設けられ、リンク６５３を介してアーム６５４に連結されている。アーム６５４は、支持軸６５５に回動可能に設けられ、アーム６５４に設けられたレバー６５６が操作部材６５７に当接している。操作部材６５７は、パンチ６４２のベース６４３に固定されている。
【０１１１】
パンチ６４２が初期位置では、図４０において実線で示す状態であり、ガイドバー６５１が初期位置である。パンチ６４２が初期位置から折り返しタブの外縁形成位置に移動すると、操作部材６５７がレバー６５６を押すからアーム６５４に左方向に回転し、この回転でリンク６５３を介してガイドバー６５１が左方向に回転し、ガイドバー６５１は、図４０において二点鎖線に示すように、ガイド位置に連動して移動する。
【０１１２】
タブ折り返し手段６６０は、シート端部を挿入部６３０に挿入するローラ対６６１で構成される。このローラ対６６１は、ゴム、樹脂などで成形され、挿入されたシート端部を挿入部６３０から引き出す際に、ローラ対６６１が形成された折り返しタブを折り返して押圧し、シート端部に折り返しタブ７０２を設ける。
【０１１３】
駆動機構６７０は、駆動源としての駆動モータ６７１、パンチ６４２を昇降させる昇降手段６７２と、ローラ対６６１を回転させる駆動手段６７３を含む。昇降手段６７２は、例えば昇降ガイド、ベルトなどで構成されるが図示しない。駆動手段６７３は、駆動ギヤ６７３ａ、タイミングベルト６７３ｂ、中間ギヤ６７３ｃ，６７３ｄ、タイミングベルト６７３ｅ、ローラ駆動ギヤ６７３ｆを含む。駆動モータ６７１を駆動し、駆動手段６７３を介してローラ対６６１を回転させてシート端部を挿入部６３０に挿入し、または挿入部６３０から取出し方向に異動させて折り返しタブを折り返して押圧し、シート端部に折り返しタブＣを設ける。
【０１１４】
次に、この実施の形態の折り返しタブ作成装置の作動を、図４０及び図４１に基づいて説明する。
【０１１５】
この実施の形態の折り返しタブ作成装置１では、位置決めバー６２０に折り返しタブを形成するシートの端部を当接し、シートをセット位置に決めし、駆動モータ６７１を駆動し、駆動手段６７３を介してローラ対６６１を回転させ、シート端部を挿入部６３０に挿入する。
【０１１６】
シート端部を挿入部６３０に挿入した状態では、図４０において実線に示すように、パンチ６４２及びガイドバー６５１は、初期状態にある。この初期状態で、昇降手段６７２を駆動してパンチ６４２を上昇させ、受けプレート６４１とパンチ６４２により、挿入されたシート端部に折り返しタブの外縁７００を形成し（図４１（ａ））、さらにパンチ６４２を上昇させ切断されることない折り目７０１を形成し（図４１（ｂ））、パンチ６４２を、初期位置から折り返しタブの外縁形成位置へ移動させる。
【０１１７】
パンチ６４２が初期位置から折り返しタブの外縁形成位置へ移動することで、操作部材６５７がレバー６５６を押すからアーム６５４に左方向に回転し、この回転でリンク６５３を介してガイドバー６５１が左方向に回転し、ガイドバー６５１は、図４０において二点鎖線に示すように、ガイド位置に連動して移動する。
【０１１８】
このガイドバー６５１がガイド位置の状態で、駆動手段６７３を介してローラ対６６１を逆方向に回転させ、挿入されたシート端部を挿入部６３０から引き出すと、この引き出す際に、ローラ対６６１が形成された折り返しタブを折り返して押圧し、シート端部に折り返しタブ７０２を設ける（図４１（ｃ））。さらに、引き出す際に、シート端部に設けられた折り返しタブ７０２は、位置決めバー６２０によっても押圧され、折り返しタブ７０２が起き上がることがないように設けられる。
【０１１９】
このように、シート端部を挿入部６３０に挿入し、挿入されたシート端部に折り返しタブの外縁を形成し、形成された折り返しタブの外縁を折り返し位置に導き、挿入されたシート端部を挿入部６３０から引き出す際に、形成された折り返しタブを折り返してシート端部に設けることで、作業の容易化を、複雑な装置や特別な用紙を用いることなく達成させることが可能である。
【０１２０】
この実施の形態の折り返しタブ作成装置１は、折り返しタブを形成するシートのセット位置を決める位置決めバー６２０を備え、手動で位置決めバー６２０を移動して折り返しタブを形成するシートのセット位置を決めるが、図４２に示すように位置決めバー６２０を自動で移動するようにしてもよい。
【０１２１】
図４２に示す実施の形態の折り返しタブ作成装置１は、シートを検出するシート検出手段９４０と、位置決めバー６２０を移動するバー移動手段９４１と、シートの検出情報に基づきバー移動手段９４１を制御して位置決めバー６２０を移動し、折り返しタブを形成する位置を変化させる制御手段９４２とを備える。
【０１２２】
バー移動手段９４１は、位置決めバー６２０に設けられたラック６２０ａと、駆動モータ９４３により回転するピニオン９４４から構成され、ピニオン９４４の回転によりラック６２０ａが形成された位置決めバー６２０が移動し、自動的に折り返しタブを形成するシートのセット位置を決めることができる。
【０１２３】
（シート後処理装置）
この実施の形態のシート後処理装置を、図４３乃至図４８に基づいて説明する。図４３はシート後処理装置の構成図、図４４乃至図４８はシート後処理装置の動作を説明する図である。この実施の形態のシート後処理装置１５０は、図４３に示すように、コピー機、プリンタ、複合機などの画像形成装置２００に装着脱装可能になるように設置され、この画像形成装置２００により画像が形成されたシートがシート後処理装置１５０に搬入される。
【０１２４】
このシート後処理装置１５０には、搬送部１６０、処理部１７０、積載部１８０が備えられている。搬送部１６０には、搬送ローラ対１６１によって搬送路１６２が形成され、画像形成装置２００から搬入するシートＰは、搬送ローラ対１６１の駆動によって搬送路１６２を介して処理部１７０へ送られる。
【０１２５】
処理部１７０には、画像が形成されたシートＰを積載するベーストレー１７１と、ベーストレー１７１上に積載されたシート束を綴じる綴じ部を備え、綴じ部は、シート束をステイプルするステイプラー１７２で構成される。このステイプラー１７２は、移動手段１７３によってステイプルする位置を変えることができる。積載部１８０には、排出トレー１８１が備えられ、処理部１７０においてステイプルされたシート束が排出トレー１８１上に積載される。
【０１２６】
画像が形成されたシートＰをベーストレー１７１へ搬送する搬送路１６２には、折り返しタブ作成装置１が備えられ、この折り返しタブ作成装置１は前記した第１の実施の形態〜第５の実施の形態のように構成され、画像形成装置２００から搬送されるシートＰに折り返しタブを作成する。また、シート後処理装置２５０には、専用シート供給装置２９０を備える構成とし、この専用シート供給装置２９０から搬送されるシートに折り返しタブを作成するようにしてもよい。
【０１２７】
このシート後処理装置１５０は、折り返しタブ作成装置１をタブ作成する作成位置とタブを作成しない待機位置とを移動させる移動手段１９２を備えている。この移動手段１９２は、駆動モータＭ１０、動力伝達機構１９２ａ、駆動ベルト１９２ｂを有し、駆動ベルト１９２ｂに折り返しタブ作成装置１が固定されている。    
【０１２８】
この折り返しタブ作成装置１は、待機位置に待機しており、タブ作成するときに駆動モータＭ１０の駆動により動力伝達機構１９２ａ、駆動ベルト１９２ｂを介して折り返しタブ作成装置１を作成位置へ移動させ、この作成位置において折り返しタブ作成装置１は搬送されるシートＰに折り返しタブを作成する。
【０１２９】
移動手段１９２は、制御装置１９３により制御される構成であり、制御装置１９３は、画像形成装置２００から搬入されるインデックスするためのシートＰ、または専用シート供給装置１９０から搬送されるシートＰの情報に基づいて移動手段１９２を制御し、折り返しタブ作成装置１を待機位置から作成位置へ移動する。
【０１３０】
また、制御装置１９３は、折り返しタブを作成する位置情報に基づき移動手段１９２を制御し、折り返しタブ作成装置１の作成位置を変化させる。例えば、シートＰの２０枚を１つのシート束にする場合に、５枚ごとに区分されるように該当するシートＰに対して位置を変えて折り返しタブを作成する。折り返しタブを作成する位置情報は、予め１つのシート束に対応して設定してもよく、またインデックスするためのシートの検出情報に基づいて設定してもよい。インデックスするためのシートの検出情報に基づいて設定する場合は、例えば１番目の検出から３番目の検出毎に、検出に応じて順に折り返しタブを作成する位置を変える。  
【０１３１】
次に、シート後処理装置の動作を、図４４乃至図４８に基づいて説明する。搬送部１６０の搬送ローラ対１６１が駆動し、画像が形成されたシートＰが搬送路１６２を介して処理部１７０のベーストレー１７１上に積載される。このとき、折り返しタブ作成装置１は、待機位置に待機している（図４４）。所定枚数のシートＰがベーストレー１７１上に積載されると、インデックスとなるシートＰを搬送する。制御装置１９３は作成位置情報に基づき移動手段１９２を制御し、駆動モータＭ１０の駆動により動力伝達機構１９２ａ、駆動ベルト１９２ｂを介して折り返しタブ作成装置１を作成位置へ移動させる（図４５）。
【０１３２】
作成位置において折り返しタブ作成装置１は、シートＰに折り返しタブを作成し、この折り返しタブが作成されたシートＰは、処理部１７０のベーストレー１７１上に積層されるように搬送する（図４６）。そして、制御装置１９３は作成位置情報に基づき移動手段１９２を制御し、駆動モータＭ１０の駆動により動力伝達機構１９２ａ、駆動ベルト１９２ｂを介して折り返しタブ作成装置１を待機位置へ移動させ、折り返しタブ作成装置１が待機位置に待機している状態とし、図４４、図４５の作動を行い、例えば、シートＰの２０枚を１つのシート束にする場合に、５枚ごとに区分されるように該当するシートＰに対して位置を変えて折り返しタブを作成する。
【０１３３】
ベーストレー１７１上に積載されたシート束をステイプラー１７２によりステイプルし、このステイプルしたシート束を処理部から積載部へ送り出す（図４７）。このようにして、シート後処理装置６５０は、図４４乃至図４７の作動を繰り返して行い、積載部８０にステイプルしたシート束を積層する（図４８）。
【０１３４】
このようにシート後処理装置１５０に折り返しタブ作成装置１を備え、この折り返しタブ作成装置１の作動により折り返しタブの外縁を形成する切り込みをシート端部に開け、切り込みにより形成された折り返しタブを折り返して接着剤によりシート端部に接着することで、作業の容易化を、複雑な装置や特別な用紙を用いることなく達成させることが可能である。
【０１３５】
［タブ印字の作成］
タブ印字の作成の形態を図４９乃至図５１に基づいて説明する。
【０１３６】
図４９の形態は、画像形成装置３００にタブ印字プリンタ３０１を備える。タブ印字プリンタ３０１は、シートＰの折り返しタブを作成する位置にタブ印字する。折り返しタブ作成装置１は、画像形成装置３００からのタブ印字情報に基づき、例えば１０枚ごとにタブ印字したシートＰに折り返しタブＴＢを作成する。画像形成装置３００では、例えばシートＰの折り返しタブを作成する位置にタブ印字するユーティリティソフトを用意し、このユーティリティソフトによりタブ印字プリンタ３０１が起動してタブ印字する。
【０１３７】
図５０の形態は、シート後処理装置１５０に、折り返しタブに印字するタブ印字プリンタ３１０を備え、折り返しタブ作成装置１により折り返しタブＴＢを作成した後に、折り返しタブＴＢに印字する。タブ印字プリンタ３１０は、例えばオンデマンドで印刷する構成であり、印字内容の設定は、備え付けのキーボード、タッチパネルなどで入力し、パーソナルコンピュタ３１１から転送し、あるいはスマートフォンなどの携帯端末３１２から転送して印字する。タブ印字プリンタ３１０は、例えばインクリボンを用いたドットインパクプリンタ、熱転写プリンタ、レーザープリンタなど周知のプリンタが用いられる。
【０１３８】
図５１の形態は、シート後処理装置１５０に、折り返しタブに印字シートを貼り付ける印字シート貼付装置３２０を備え、折り返しタブ作成装置１により折り返しタブＴＢを作成した後に、折り返しタブＴＢに印字シートＳＴを貼り付ける。
【０１３９】
この実施の形態のシート後処理装置１５０には、ファイリング装置４００を備えることができる。ファイリング装置４００として、例えば、パンチを装備してシートに２孔を開け、例えば１０枚ごとに、折り返しタブＴＢを作成したシートＰを介在させてそのまま自動的にファイリングできるようにすることができる。また、折り返しタブ作成装置１は、画像形成装置から搬送されるシート、または専用シート供給装置から搬送されるシートに折り返しタブを作成することができる。専用シート供給装置から搬送されるシートには、番号を入れる、ユーザ名を入れる、ドキュメント名を入れるなどの構成とすることができる。また、シート後処理装置は、画像形成装置３００からのタブ印字情報に基づき、折り返しタブＴＢの位置や大きさ、数を可変にする構成とすることができる。
【産業上の利用可能性】
【０１４０】
この発明は、シートに折り返しタブを形成する折り返しタブ作成装置及びこの折り返しタブ作成装置を備えたシート後処理装置に適用可能であり、作業の容易化を、複雑な装置や特別な用紙を用いることなく達成させることが可能である。
【符号の説明】
【０１４１】
１  折り返しタブ作成装置
１０  装置本体
１１  ベースプレート
１２  本体カバー
２０  位置決めバー  
２０ａ  位置決め部
３０  挿入口
４０  折り返しタブ作成手段
４１  パンチ刃
４１ａ  駆動軸
４１ｂ  シートホルダー
４１ｂ１  ガイド孔
４１ｃ  駆動リンク
４１ｃ１  カム溝
４１ｄ  カムピン
４１ｅ，４１ｆ  駆動ギヤ
４１ｈ  支持軸
４２  折り返し手段
４２ａ  曲げ部
４２ｂ  作動レバー部
４２ｃ  スプリング
４３  圧着手段
４３ａ  圧着上歯  
４３ａ１  エンボス形成部
４３ａ２  ストッパー部
４３ｂ  圧着下歯
４３ｂ１  エンボス形成部
４３ｃ  支持軸
４３ｄ  スプリング
４３ｅ  上カム
４３ｆ  駆動軸
４３ｇ  駆動ギヤ    
４３ｈ  駆動モータ  
４３ｉ  駆動リンク
４３ｉ  １カム孔
４３ｊ  スプリング
４３ｋ  下カム
４３ｌ  駆動軸
４３ｍ，４３ｎ，４３ｇ  駆動ギヤ
４３ｐ  ロータリーエンコーダ
４３ｒ  パンチ刃ホームセンサ
４３ｑ  制御手段
４４  台部
５０，５１，５２  支持軸
１１１  挿入口
１２１  付着手段
１２１ａ  回転バー
１２１ｂ  接着剤
１２２  折り返しタブ作成手段
１２２ａ  パンチ刃
１２２ｂ  折り返し手段
１２２ｂ１  折り返しバー
１２２ｃソレノイド
１２５  送出軸
１２６  巻取軸  
１２７  接着テープ
１２７ａ  接着剤
１２８  押圧部材
１５０  シート後処理装置
１６０  搬送部
１６１  搬送ローラ対
１６２  搬送路
１７０  処理部
１７１  ベーストレー
１７２  ステイプラー
１８０  積載部
１８１  排出トレー
１９２  移動手段
１９３  制御装置
２４４  台部
２４１ａ  駆動軸
２４１ｂ  シートホルダー
２４１ｂ１  ガイド孔
２４１ｃ  駆動リンク
２４１ｃ１  カム溝  
２４１ｄ  カムピン
２４１ｅ，２４１ｆ，２４３ｏ，２４３ｐ  駆動ギヤ
２４１ｈ  支持軸
２４３ｈ１  第１駆動モータ
２４３ｈ２  第２駆動モータ
２４２ａ  曲げレバー
２４２ａ１  支持軸
２４２ｂ  作動レバー  
２４３ａ  圧着上歯
２４３ａ１  圧着部
２４３ａ２  ストッパー部
２４３ｂ  圧着下歯
２４３ｂ１  圧着部
２４３ｄ，２４３ｊ，２４３ｍ  スプリング
２４３ｅ  上カム
２４３ｉ  駆動リンク
２４３ｋ  下カム
２４３ｌ  アーム
２５０  支持軸
２５１  駆動軸
３０１，３１０  タブ印字プリンタ
３２０  印字シート貼付装置
４００  ファイリング装置
９００  テープ貼付手段
９１０  テープ止め手段
９２０  圧着手段
９３０  腰付け手段
【図１】
2019011147.tif 000003
【図２】
2019011147.tif 000004
【図３】
2019011147.tif 000005
【図４】
2019011147.tif 000006
【図５】
2019011147.tif 000007
【図６】
2019011147.tif 000008
【図７】
2019011147.tif 000009
【図８】
2019011147.tif 000010
【図９】
2019011147.tif 000011
【図１０】
2019011147.tif 000012
【図１１】
2019011147.tif 000013
【図１２】
2019011147.tif 000014
【図１３】
2019011147.tif 000015
【図１４】
2019011147.tif 000016
【図１５】
2019011147.tif 000017
【図１６】
2019011147.tif 000018
【図１７】
2019011147.tif 000019
【図１８】
2019011147.tif 000020
【図１９】
2019011147.tif 000021
【図２０】
2019011147.tif 000022
【図２１】
2019011147.tif 000023
【図２２】
2019011147.tif 000024
【図２３】
2019011147.tif 000025
【図２４】
2019011147.tif 000026
【図２５】
2019011147.tif 000027
【図２６】
2019011147.tif 000028
【図２７】
2019011147.tif 000029
【図２８】
2019011147.tif 000030
【図２９】
2019011147.tif 000031
【図３０】
2019011147.tif 000032
【図３１】
2019011147.tif 000033
【図３２】
2019011147.tif 000034
【図３３】
2019011147.tif 000035
【図３４】
2019011147.tif 000036
【図３５】
2019011147.tif 000037
【図３６】
2019011147.tif 000038
【図３７】
2019011147.tif 000039
【図３８】
2019011147.tif 000040
【図３９】
2019011147.tif 000041
【図４０】
2019011147.tif 000042
【図４１】
2019011147.tif 000043
【図４２】
2019011147.tif 000044
【図４３】
2019011147.tif 000045
【図４４】
2019011147.tif 000046
【図４５】
2019011147.tif 000047
【図４６】
2019011147.tif 000048
【図４７】
2019011147.tif 000049
【図４８】
2019011147.tif 000050
【図４９】
2019011147.tif 000051
【図５０】
2019011147.tif 000052
【図５１】
2019011147.tif 000053